(57)【要約】【課題】医用画像の表示領域が狭いときであっても、オーバーレイ情報が読影の邪魔になることを防ぎ、かつ必要なオーバーレイ情報が確認できるようにする。【解決手段】医用画像表示システム１００のサーバー装置２によれば、制御部２１は、医用画像に重ねて表示するオーバーレイ情報の項目を、オーバーレイ情報の各項目に予め設定された表示優先度に基づいて３段階以上の多段階に切り替える。【選択図】図５
2019213747.tif 000002
【特許請求の範囲】
【請求項１】
表示装置に表示された医用画像に重ねて表示するオーバーレイ情報の切り替えを制御する制御手段を備える表示制御装置であって、
前記オーバーレイ情報は、予め表示優先度が設定された複数の項目を有し、
前記制御手段は、前記オーバーレイ情報を前記医用画像に重ねて表示する場合の、表示する前記オーバーレイ情報の項目を、前記表示優先度に基づいて多段階に切り替える表示制御装置。
【請求項２】
前記オーバーレイ情報は、患者情報、検査情報、シリーズ情報、若しくは画像情報を含むＤＩＣＯＭ（Digital Imaging and Communication in Medicine）情報のテキスト情報、又は前記ＤＩＣＯＭ情報に基づいて算出された情報を示すテキスト情報である請求項１に記載の表示制御装置。
【請求項３】
前記制御手段は、ユーザー操作に応じて、前記医用画像に重ねて表示する前記オーバーレイ情報の項目の切り替えを行う請求項１又は２に記載の表示制御装置。
【請求項４】
前記制御手段は、前記医用画像の画像表示領域と前記オーバーレイ情報の表示領域の重複率を算出し、算出した重複率に応じて、前記医用画像に重ねて表示する前記オーバーレイ情報の項目の切り替えを行う請求項１又は２に記載の表示制御装置。
【請求項５】
前記制御手段は、前記医用画像の画像表示領域の大きさに変更があった場合に、前記重複率の算出を行う請求項４に記載の表示制御装置。
【請求項６】
前記制御手段は、前記医用画像全体の表示領域を前記画像表示領域と判断して前記重複率を算出する請求項４又は５に記載の表示制御装置。
【請求項７】
前記制御手段は、前記医用画像の被写体領域の表示領域を前記画像表示領域と判断して前記重複率を算出する請求項４又は５に記載の表示制御装置。
【請求項８】
前記制御手段は、前記医用画像の被写体領域の表示領域又は前記医用画像の被写体外領域の表示領域のいずれかに基づいて、前記医用画像に重ねて表示する前記オーバーレイ情報の項目の切り替えを行う請求項１又は２に記載の表示制御装置。
【請求項９】
前記制御手段は、さらに、ユーザー操作に応じて、前記医用画像に重ねて表示する前記オーバーレイ情報の項目の切り替えを行う請求項４〜８のいずれか一項に記載の表示制御装置。
【請求項１０】
前記制御手段は、前記医用画像を表示する表示装置の機器情報を取得し、前記医用画像に重ねて表示する前記オーバーレイ情報の項目の切り替えを行う場合に、さらに前記表示装置の機器情報を加味して切り替えを行う請求項４〜９のいずれか一項に記載の表示制御装置。
【請求項１１】
前記オーバーレイ情報の各項目に対する表示優先度は、ユーザー又はグループごとに予め設定されており、
前記制御手段は、前記医用画像に重ねて表示するオーバーレイ情報の項目を、前記表示制御装置にログインしたユーザー又はそのユーザーが属するグループに対応する前記各項目の表示優先度に基づいて切り替える請求項１〜１０のいずれか一項に記載の表示制御装置。
【請求項１２】
前記制御手段は、前記医用画像に重ねて表示するオーバーレイ情報の項目の色を、表示優先度に応じた色で表示する請求項１〜１１のいずれか一項に記載の表示制御装置。
【請求項１３】
前記制御手段は、前記医用画像に重ねて表示するオーバーレイ情報の色を、前記多段階のうちの表示されている段階に応じた色で表示する請求項１〜１１のいずれか一項に記載の表示制御装置。
【請求項１４】
表示装置と、
請求項１〜１３のいずれか一項に記載の表示制御装置と、
を備える医用画像表示システム。
【請求項１５】
表示装置に表示された医用画像に重ねて表示するオーバーレイ情報の切り替えを制御する表示制御装置に用いられるコンピュータを、
予め表示優先度が設定された複数の項目を有する前記オーバーレイ情報を前記医用画像に重ねて表示する場合の、表示する前記オーバーレイ情報の項目を、前記表示優先度に基づいて多段階に切り替える制御手段、
として機能させるためのプログラム。
【発明の詳細な説明】
【技術分野】
【０００１】
本発明は、表示制御装置、医用画像表示システム及びプログラムに関する。
【背景技術】
【０００２】
従来、医用画像の観察者ごとに予め表示するオーバーレイ情報を設定しておき、観察者に応じたオーバーレイ情報を医用画像に重ねて表示する技術が記載されている（例えば、特許文献１参照）。
【先行技術文献】
【特許文献】
【０００３】
【特許文献１】特許第３２９０６８３号
【発明の概要】
【発明が解決しようとする課題】
【０００４】
しかしながら、特許文献１に記載の技術では、観察者ごとに表示されるオーバーレイ情報が固定されるため、画像の表示数等のレイアウト変更時にオーバーレイ情報が画像に重なりすぎて読影の妨げになることがある。例えば、図６に示すように、１画面に１画像を表示しているような場合は、オーバーレイ情報はほとんど医用画像に重なっていないので読影に影響はないが、図１２に示すように、１画面に複数画像を表示するように切り替えた場合は、医用画像に対してオーバーレイ情報が重なっている領域が大きくなり、医用画像が見づらくなってしまう。この問題は、オーバーレイ情報を非表示にすることで解消できるが、逆に、非表示にすると必要な情報まで見ることができなくなってしまうという問題がある。
【０００５】
本発明の課題は、医用画像の表示領域が狭いときであっても、オーバーレイ情報が読影の邪魔になることを防ぎ、かつ必要なオーバーレイ情報が確認できるようにすることである。
【課題を解決するための手段】
【０００６】
上記課題を解決するため、請求項１に記載の発明は、
表示装置に表示された医用画像に重ねて表示するオーバーレイ情報の切り替えを制御する制御手段を備える表示制御装置であって、
前記オーバーレイ情報は、予め表示優先度が設定された複数の項目を有し、
前記制御手段は、前記オーバーレイ情報を前記医用画像に重ねて表示する場合の、表示する前記オーバーレイ情報の項目を、前記表示優先度に基づいて多段階に切り替える。
【０００７】
請求項２に記載の発明は、請求項１に記載の発明において、
前記オーバーレイ情報は、患者情報、検査情報、シリーズ情報、若しくは画像情報を含むＤＩＣＯＭ（Digital Imaging and Communication in Medicine）情報のテキスト情報、又は前記ＤＩＣＯＭ情報に基づいて算出された情報を示すテキスト情報である。
【０００８】
請求項３に記載の発明は、請求項１又は２に記載の発明において、
前記制御手段は、ユーザー操作に応じて、前記医用画像に重ねて表示する前記オーバーレイ情報の項目の切り替えを行う。
【０００９】
請求項４に記載の発明は、請求項１又は２に記載の発明において、
前記制御手段は、前記医用画像の画像表示領域と前記オーバーレイ情報の表示領域の重複率を算出し、算出した重複率に応じて、前記医用画像に重ねて表示する前記オーバーレイ情報の項目の切り替えを行う。
【００１０】
請求項５に記載の発明は、請求項４に記載の発明において、
前記制御手段は、前記医用画像の画像表示領域の大きさに変更があった場合に、前記重複率の算出を行う。
【００１１】
請求項６に記載の発明は、請求項４又は５に記載の発明において、
前記制御手段は、前記医用画像全体の表示領域を前記画像表示領域と判断して前記重複率を算出する。
【００１２】
請求項７に記載の発明は、請求項４又は５に記載の発明において、
前記制御手段は、前記医用画像の被写体領域の表示領域を前記画像表示領域と判断して前記重複率を算出する。
【００１３】
請求項８に記載の発明は、請求項１又は２に記載の発明において、
前記制御手段は、前記医用画像の被写体領域の表示領域又は前記医用画像の被写体外領域の表示領域のいずれかに基づいて、前記医用画像に重ねて表示する前記オーバーレイ情報の項目の切り替えを行う。
【００１４】
請求項９に記載の発明は、請求項４〜８のいずれか一項に記載の発明において、
前記制御手段は、さらに、ユーザー操作に応じて、前記医用画像に重ねて表示する前記オーバーレイ情報の項目の切り替えを行う。
【００１５】
請求項１０に記載の発明は、請求項４〜９のいずれか一項に記載の発明において、
前記制御手段は、前記医用画像を表示する表示装置の機器情報を取得し、前記医用画像に重ねて表示する前記オーバーレイ情報の項目の切り替えを行う場合に、さらに前記表示装置の機器情報を加味して切り替えを行う。
【００１６】
請求項１１に記載の発明は、請求項１〜１０のいずれか一項に記載の発明において、
前記オーバーレイ情報の各項目に対する表示優先度は、ユーザー又はグループごとに予め設定されており、
前記制御手段は、前記医用画像に重ねて表示するオーバーレイ情報の項目を、前記表示制御装置にログインしたユーザー又はそのユーザーが属するグループに対応する前記各項目の表示優先度に基づいて切り替える。
【００１７】
請求項１２に記載の発明は、請求項１〜１１のいずれか一項に記載の発明において、
前記制御手段は、前記医用画像に重ねて表示するオーバーレイ情報の項目の色を、表示優先度に応じた色で表示する。
【００１８】
請求項１３に記載の発明は、請求項１〜１１のいずれか一項に記載の発明において、
前記制御手段は、前記医用画像に重ねて表示するオーバーレイ情報の色を、前記多段階のうちの表示されている段階に応じた色で表示する。
【００１９】
請求項１４に記載の発明の医用画像表示システムは、
表示装置と、
請求項１〜１３のいずれか一項に記載の表示制御装置と、
を備える。
【００２０】
請求項１５に記載の発明のプログラムは、
表示装置に表示された医用画像に重ねて表示するオーバーレイ情報の切り替えを制御する表示制御装置に用いられるコンピュータを、
予め表示優先度が設定された複数の項目を有する前記オーバーレイ情報を前記医用画像に重ねて表示する場合の、表示する前記オーバーレイ情報の項目を、前記表示優先度に基づいて多段階に切り替える制御手段、
として機能させる。
【発明の効果】
【００２１】
本発明によれば、医用画像の表示領域が狭いときであっても、オーバーレイ情報が読影の邪魔になることを防ぎ、かつ必要なオーバーレイ情報を確認することが可能となる。
【図面の簡単な説明】
【００２２】
【図１】本実施形態における医用画像表示システムの全体構成例を示す図である。
【図２】図１のサーバー装置の機能的構成を示すブロック図である。
【図３】図１の画像表示装置の機能的構成を示すブロック図である。
【図４】オーバーレイ優先度設定画面一例を示す図である。
【図５】第１の実施形態において図２の制御部により実行される表示制御処理Ａを示すフローチャートである。
【図６】全情報表示の場合のビューアー画面の一例を示す図である。
【図７】必須情報表示の場合のビューアー画面の一例を示す図である。
【図８】第２及び第３の実施形態において図２の制御部により実行される表示制御処理Ｂを示すフローチャートである。
【図９Ａ】第２の実施形態において画像表示領域が１つのビューアー画面における全情報表示の場合の画像表示領域とオーバーレイ表示領域の関係を示す図である。
【図９Ｂ】画像表示領域とオーバーレイ領域との重複関係が図９Ａに示す場合に表示されるオーバーレイ情報を示す図である。
【図１０Ａ】第２の実施形態において画像表示領域が４つのビューアー画面における全情報表示の場合の画像表示領域とオーバーレイ表示領域の関係を示す図である。
【図１０Ｂ】画像表示領域とオーバーレイ領域との重複関係が図１０Ａに示す場合に表示されるオーバーレイ情報を示す図である。
【図１１Ａ】画像表示領域が４つのビューアー画面における画像表示領域とオーバーレイ表示領域の関係を示す図である。
【図１１Ｂ】第３の実施形態において、図１１Ａに示す被写体領域を縮小処理した様子を示す図である。
【図１１Ｃ】第３の実施形態において、図１１Ａに示す被写体領域を図１１Ｂに示すように縮小処理した場合に表示されるオーバーレイ情報を示す図である。
【図１２】従来技術において、１画面に複数画像を表示した場合のオーバーレイ情報の表示を示す図である。
【発明を実施するための形態】
【００２３】
以下、図面を参照して本発明に係る好適な実施形態について説明する。なお、本発明は、図示例に限定されるものではない。
【００２４】
＜第１の実施形態＞
（医用画像表示システム１００の構成）
まず、本発明の第１の実施形態の構成を説明する。
図１に、本実施形態における医用画像表示システム１００のシステム構成を示す。
図１に示すように、医用画像表示システム１００は、画像生成装置１、サーバー装置２、画像表示装置３を備えて構成されている。これら各装置１〜３は、ＬＡＮ（Local Area Network）等の医療施設内で構築された通信ネットワークＮを介して相互にデータを送受信可能に接続されている。通信ネットワークＮは、ＤＩＣＯＭ（Digital Imaging and Communication in Medicine）規格が適用されている。なお、各装置の台数は、特に限定されない。
【００２５】
以下、各構成装置１〜３について説明する。
画像生成装置１は、人体における被写体部位を撮影し、その撮影画像（医用画像）のデジタルデータを生成するモダリティーであり、例えば、ＣＲ（Computed Radiography）装置、ＦＰＤ（Flat Panel Detector）装置、ＣＴ（Computed Tomography）装置、ＭＲＩ（Magnetic Resonance Imaging）装置、超音波診断装置等を適用可能である。
【００２６】
なお、画像生成装置１は、上述したＤＩＣＯＭ規格に準拠した装置であり、医用画像をＤＩＣＯＭファイル形式で生成する。ＤＩＣＯＭファイルは画像部とヘッダ部から構成されている。画像部には医用画像の実データ、ヘッダ部には当該医用画像の付帯情報（ＤＩＣＯＭ情報）が書き込まれる。画像生成装置１は、撮影により得られた医用画像に上記付帯情報をヘッダ情報として付加して通信ネットワークＮを介してサーバー装置２へ送信する。
【００２７】
ここで、ＤＩＣＯＭ情報は、患者情報、検査情報、シリーズ情報、画像情報を含んで構成されている。
患者情報は、医用画像の患者（被検者）に関する各種情報であり、例えば、患者ＩＤ、患者氏名、生年月日、年齢、性別、身長、体重等の項目が含まれる。
検査情報は、検査に関する各種情報であり、例えば、検査ＩＤ、検査日、検査時刻、技師氏名、依頼医師、読影医師、検査記述、シリーズ数、画像枚数等の項目が含まれる。
シリーズ情報は、検査に含まれるシリーズに関する各種情報であり、例えば、モダリティー、部位、シリーズ記述、側性、シリーズ番号、画像枚数、ＡＥタイトル等の項目が含まれる。
画像情報は、医用画像に関する各種情報であり、例えば、画像番号、患者方向、画像タイプ、ピクセル構造、縦幅、横幅、管電圧、ｍＡ、管電流、画素間隔、スライス厚、スライス位置、フレーム番号、フレーム数、ＴＲ、ＴＥ、ＷＷ／ＷＣ等の項目が含まれる。
【００２８】
サーバー装置２は、画像生成装置１から送信された医用画像を画像ＤＢ（Data Base）２５１に格納するとともに、付帯情報を付帯情報ＤＢ２５２に格納し、医用画像を管理する。また、サーバー装置２は、ユーザーのログイン要求に応じて後述する表示制御処理Ａを実行し、画像表示装置３に表示するビューアー画面３３１（図６等参照）の表示制御を行う。ビューアー画面３３１は、読影のために医用画像を表示する画面である。
【００２９】
図２に、サーバー装置２の機能構成例を示す。
図２に示すように、サーバー装置２は、制御部２１、操作部２２、表示部２３、通信部２４、記憶部２５を備えて構成され、各部はバス２６により接続されている。
【００３０】
制御部２１は、ＣＰＵ（Central Processing Unit）、ＲＡＭ（Random Access Memory）等により構成される。制御部２１のＣＰＵは、記憶部２５に記憶されているシステムプログラムや処理プログラム等の各種プログラムを読み出してＲＡＭに展開し、展開されたプログラムに従って各種処理を実行する。制御部２１は、後述する表示制御処理Ａを実行することにより、制御手段として機能する。
【００３１】
操作部２２は、文字入力キー、数字入力キー、及び各種機能キー等を備えたキーボードと、マウス等のポインティングデバイスを備えて構成され、キーボードで押下操作されたキーの押下信号とマウスによる操作信号とを、入力信号として制御部２１に出力する。
【００３２】
表示部２３は、例えば、ＣＲＴ（Cathode Ray Tube）やＬＣＤ（Liquid Crystal Display）等のモニターを備えて構成されており、制御部２１から入力される表示信号の指示に従って、各種画面を表示する。
【００３３】
通信部２４は、ＬＡＮカード等を備え、通信ネットワークＮに接続された外部機器との間でデータの送受信を行う。
【００３４】
記憶部２５は、例えばＨＤＤ（Hard Disk Drive）や半導体の不揮発性メモリ等で構成されている。記憶部２５には、前述のように各種プログラムが記憶されている。記憶部２５に記憶されているプログラムには、後述する表示制御処理Ａを実行させるためのプログラムが記憶されている。
【００３５】
また、記憶部２５には、画像ＤＢ２５１、付帯情報ＤＢ２５２、ユーザー情報ＤＢ２５３が設けられている。
【００３６】
画像ＤＢ２５１は、医用画像を格納するためのデータベースである。
付帯情報ＤＢ２５２は、画像ＤＢ２５１に格納されている医用画像に関する付帯情報を検索可能に格納するデータベースである。
ユーザー情報ＤＢ２５３は、医用画像表示システム１００にアクセス可能なユーザー（医師）のユーザーＩＤ、パスワード、氏名、所属グループ（診療科等）、オーバーレイ情報の優先度設定情報等が記憶されている。ここでいうオーバーレイ情報とは、ビューアー画面３３１において医用画像に重ねて表示する医用画像の付帯情報（すなわちＤＩＣＯＭ情報）又は付帯情報に基づいて算出した情報のテキスト情報である。医用画像に重ねて表示する情報であっても、アノテーションやスケールはオーバーレイ情報に含まれない。オーバーレイ情報の優先度設定情報は、上述の医用画像の付帯情報又は付帯情報に基づいて算出した情報のうち、オーバーレイ情報として表示する各項目の表示優先度（ここでは、必須、優先度高、又は優先度低）の設定情報である。なお、表示優先度は、必須＞優先度高＞優先度低である。
【００３７】
画像表示装置３は、読影対象の検査を選択するための検査リスト画面、医用画像を表示するためのビューアー画面３３１（図６等参照）等を表示するための読影アプリケーションが搭載された端末装置である。画像表示装置３としては、パーソナルコンピューター、タブレット、スマートフォン等が適用可能である。
【００３８】
図３に、画像表示装置３の機能構成例を示す。
図３に示すように、画像表示装置３は、制御部３１、操作部３２、表示部３３、通信部３４、記憶部３５を備えて構成され、各部はバス３６により接続されている。
【００３９】
制御部３１は、ＣＰＵ、ＲＡＭ等により構成される。制御部３１のＣＰＵは、記憶部３５に記憶されているシステムプログラムや読影アプリケーションを始めとする各種プログラムを読み出してＲＡＭに展開し、展開されたプログラムに従って各種処理を実行する。
【００４０】
操作部３２は、文字入力キー、数字入力キー、及び各種機能キー等を備えたキーボードと、マウス等のポインティングデバイスを備えて構成され、ユーザーにより押下操作されたキーの押下信号とマウスによる操作信号とを、入力信号として制御部３１に出力する。また、操作部３２は、表示部３３の表示画面にタッチパネルを備える構成として良く、この場合、タッチパネルを介してユーザー操作により入力された指示信号を制御部３１に出力する。
【００４１】
表示部３３は、例えば、ＣＲＴ（Cathode Ray Tube）やＬＣＤ（Liquid Crystal Display）等のモニターを備えて構成されており、制御部３１から入力される表示信号の指示に従って、各種画面を表示する。
【００４２】
通信部３４は、ＬＡＮカード等により構成され、有線又は無線により通信ネットワークＮに接続された外部機器との間でデータの送受信を行う。
【００４３】
記憶部３５は、例えばＨＤＤ（Hard Disk Drive）や半導体の不揮発性メモリ等で構成されている。記憶部３５には、前述のようにシステムプログラムや読影アプリケーションを始めとする各種プログラムが記憶されている。
【００４４】
（医用画像表示システム１００の動作）
次に、医用画像表示システム１００の動作について説明する。
【００４５】
画像表示装置３の制御部３１は、ユーザーが初めて読影アプリケーションにアクセスした際、読影アプリケーションに従って、新規ユーザー登録要求を通信部３４によりサーバー装置２に送信する。サーバー装置２の制御部２１は、新規ユーザー登録要求を受信すると、通信部２４によりユーザー登録画面（図示せず）の画面情報を画像表示装置３に送信して表示部３３に表示させ、ユーザーＩＤ、パスワード等のログイン情報、氏名、所属グループ等のユーザー情報の入力を受け付ける。また、制御部２１は、オーバーレイ優先度設定画面３３０の画面情報を画像表示装置３に送信して表示部３３に表示させ、オーバーレイ情報の優先度設定情報の入力を受け付ける。そして、サーバー装置２の制御部２１は、入力されたユーザー情報及びオーバーレイ情報の優先度設定情報をユーザー情報ＤＢ２５３に登録（設定）する。
【００４６】
図４に、オーバーレイ優先度設定画面３３０の一例を示す。図４に示すように、オーバーレイ優先度設定画面３３０には、「患者情報」タブＴ１、「検査情報」タブＴ２、「シリーズ情報」タブＴ３、「画像情報」タブＴ４を有し、オーバーレイ情報への表示候補となる項目を表示する領域３３０ａと、「必須」タブＴ１１、「優先度高」タブＴ１２、「優先度低」タブＴ１３を有する領域３３０ｂが設けられている。操作部３２により領域３３０ａのいずれかのタブを選択すると、選択されたタブに対応する情報の、オーバーレイ情報への表示候補となる項目が一覧表示される。領域３３０ｂにおいて、ユーザーが操作部３２によりタブＴ１１〜Ｔ１３のいずれかを選択して、選択したタブに対応する表示優先度に設定したい項目を領域３３０ａから選択すると、選択された項目が領域３３０ｂに表示され、選択された項目が領域３３０ｂの選択されたタブに対応する表示優先度の項目として設定される。設定が完了し、完了ボタン３３０ｃが押下されると、設定された情報がオーバーレイ情報の優先度設定情報としてサーバー装置２に送信される。
【００４７】
ここで、読影アプリケーションでは、医用画像表示システム１００における動作モードとして読影モード又は設定モードを指定可能である。読影モードは、ユーザーが医用画像を読影するためのモードである。設定モードは、ユーザー情報やオーバーレイ情報の優先度設定情報を設定変更したりするためのモードである。サーバー装置２は、画像表示装置３の読影アプリケーションからアクセスがあると読影モードとして後述する表示制御処理Ａを実行するが、読影アプリケーションにより設定モードでの動作が指示されると、ユーザー設定画面やオーバーレイ優先度設定画面３３０を表示部３３に表示させ、設定内容の変更を受け付ける。
【００４８】
図５に、画像表示装置３において読影アプリケーションが起動され、サーバー装置２に読影アプリケーションからのアクセスがあった場合に制御部２１により実行される表示制御処理Ａのフローチャートを示す。表示制御処理Ａは、制御部２１と記憶部２５に記憶されているプログラムとの協働により実行される。
【００４９】
まず、制御部２１は、画像表示装置３の表示部３３にログイン画面を表示させ、ログイン画面から入力された情報に基づいてログイン認証を行う（ステップＳ１）。
【００５０】
ログインが認証されると、制御部２１は、付帯情報ＤＢ２５２に記憶されている付帯情報に基づいて、読影すべき検査の一覧が表示された検査リスト画面の画面情報を生成して通信部２４により画像表示装置３に送信し、表示部３３に検査リスト画面を表示させる（ステップＳ４）。
操作部３２により検査リスト画面から読影対象の検査が選択されると、制御部３１は、選択された検査の検査ＩＤを通信部３４によりサーバー装置２に送信する。
【００５１】
通信部２４により画像表示装置３から読影対象の検査の検査ＩＤを受信すると（ステップＳ３；ＹＥＳ）、制御部２１は、ユーザー情報ＤＢ２５３に記憶されている、ログインユーザーに対応するオーバーレイ情報の優先度設定情報を読み出す（ステップＳ４）。
【００５２】
次いで、制御部２１は、ステップＳ４で読み出したオーバーレイ情報の優先度設定情報を参照し、表示するオーバーレイ情報の全項目（必須〜優先度低の全ての項目）の情報が表示されたビューアー画面３３１の画面情報を生成して通信部２４により画像表示装置３に送信し、表示部３３にビューアー画面３３１を表示させる（ステップＳ５）。
【００５３】
図６に、ステップＳ５において表示部３３に表示されるビューアー画面３３１の一例を示す。図６に示すように、ビューアー画面３３１には、選択された検査の医用画像３３１ａと、オーバーレイ情報３３１ｂと、が表示される。ステップＳ５においては、オーバーレイ情報の優先度設定情報において必須〜優先度低に設定されている全項目がオーバーレイ情報３３１ｂとして表示される。また、ビューアー画面３３１には、ユーザー操作に応じてオーバーレイ情報３３１ｂの表示量（表示する項目数）を切り替えるためのオーバーレイ表示量変更アイコン３３１ｃが設けられている。本実施形態では、操作部３２によるオーバーレイ表示量変更アイコン３３１ｃの押下により、オーバーレイ情報として表示する項目数を全情報表示（表示優先度が必須〜優先度低の全項目の情報表示）→優先情報表示（表示優先度が必須〜優先度高の項目の情報表示）→必須情報表示（表示優先度が必須の項目のみの情報表示）の３段階に切り替えることが可能である。必須情報表示の状態でオーバーレイ表示量変更アイコン３３１ｃを押下すると、全情報表示に戻すことが可能である。オーバーレイ表示量変更アイコン３３１ｃには、現在表示されているオーバーレイ情報３３１ｂの段階（全情報表示、優先情報表示、又は必須情報表示）を示す文字が併せて表示されている。
【００５４】
操作部３２によりオーバーレイ表示量変更アイコン３３１ｃが押下（クリック、タップ）されると、制御部３１は、オーバーレイ表示量変更アイコン３３１ｃが押下されたことをサーバー装置２に通知する。
【００５５】
通信部２４によりオーバーレイ表示量変更アイコン３３１ｃが押下された旨が通知されると（ステップＳ６；ＹＥＳ）、制御部２１は、ステップＳ４で読み出したオーバーレイ情報の優先度設定情報を参照し、優先度低の項目を非表示とした（優先情報表示の）ビューアー画面３３１の画面情報を生成して通信部２４により画像表示装置３に送信して、表示部３３にビューアー画面３３１を表示させ（ステップＳ７）、ステップＳ８に移行する。
【００５６】
ステップＳ８において、通信部２４によりオーバーレイ表示量変更アイコン３３１ｃが押下された旨が通知されると（ステップＳ８；ＹＥＳ）、制御部２１は、ステップＳ４で読み出したオーバーレイ情報の優先度設定情報を参照し、必須以外のオーバーレイ情報を非表示とした（必須情報表示の）ビューアー画面３３１の画面情報を生成して通信部２４により画像表示装置３に送信して、表示部３３にビューアー画面３３１を表示させ（ステップＳ９）、ステップＳ１０に移行する。図７に、ステップＳ９において表示部３３に表示されるビューアー画面３３１の一例を示す。
【００５７】
ステップＳ１０において、通信部２４によりオーバーレイ表示量変更アイコン３３１ｃが押下された旨が通知されると（ステップＳ１０；ＹＥＳ）、制御部２１は、ステップＳ５に戻る。
画像表示装置３からビューアー画面３３１が閉じられた旨が通知されるまで、制御部２１は、ステップＳ５〜ステップＳ１０の処理を繰り返し実行する。
【００５８】
なお、図５に示す表示制御処理Ａでは、一例として、表示するオーバーレイ情報３３１ｂの項目（項目数）を３段階に切り替える場合を示しているが、オーバーレイ情報３３１ｂを表示する場合の、表示するオーバーレイ情報３３１ｂの項目が多段階に切り替えられるのであれば、その段階数は特に限定されない。例えば、制御部２１は、全情報表示→必須情報表示のように、操作部３２によるオーバーレイ表示量変更アイコン３３１ｃの押下に応じて、表示するオーバーレイ情報３３１ｂの項目を２段階に切り替えることとしてもよい。また、オーバーレイ情報を非表示に切り替えられるようにしてもよい。例えば、全情報表示→必須情報表示→全情報非表示のように、操作部３２によるオーバーレイ表示量変更アイコン３３１ｃの押下に応じて、表示するオーバーレイ情報３３１ｂの項目を全情報表示、必須情報表示の２段階に切り替え、その後、さらに非表示に切り替えることとしてもよい。表示するオーバーレイ情報３３１ｂの項目を何段階に切り替え可能とするか、非表示にも切替られるようにするかは、ユーザーが設定可能な構成としてもよい。
【００５９】
このように、第１の実施形態では、オーバーレイ情報として表示する項目に表示優先度を設定しておき、ユーザーによるオーバーレイ表示量変更アイコン３３１ｃの操作に応じて、オーバーレイ情報を表示する場合のオーバーレイ情報の表示量（表示する項目数）を各項目に設定された表示優先度に基づいて多段階に切り替える。したがって、医用画像の表示領域が小さく全オーバーレイ情報を表示するのに十分な領域が確保できない場合は、オーバーレイ情報の表示量を必要最低限に切り替えることが可能となるので、オーバーレイ情報が読影の妨げになることを防止することができ、かつ必要最低限のオーバーレイ情報については確認することができ、読影効率を向上させることができる。
なお図示しない表示切替設定により、スクロールマウスの回転によって表示が自由に切り替えられても良い。
【００６０】
＜第２の実施形態＞
以下、本発明の第２の実施形態について説明する。
第１の実施形態では、ユーザー操作に応じてオーバーレイ情報の表示量（表示する項目数）を切り替える例について説明したが、第２の実施形態では、医用画像の表示領域（画像表示領域）におけるオーバーレイ情報の表示領域（オーバーレイ領域）の重複率に応じて自動的にオーバーレイ情報の表示量を切り替える例について説明する。
【００６１】
第２の実施形態において、記憶部２５には、後述する表示制御処理Ｂを実行するためのプログラムが記憶されている。
【００６２】
第２の実施形態におけるその他の構成は、第１の実施形態において図１〜図３を用いて説明したものと同様であるので説明を援用する。また、第２の実施形態における医用画像表示システム１００の動作は、設定モードについては第１の実施形態と同様であり、読影モードにおいて実行される処理（表示制御処理Ｂ）が第１の実施形態と異なるので、以下、表示制御処理Ｂについて説明する。
【００６３】
図８に、画像表示装置３において読影アプリケーションが起動され、サーバー装置２に読影アプリケーションからのアクセスがあった場合に制御部２１により実行される表示制御処理Ｂのフローチャートを示す。表示制御処理Ｂは、制御部２１と記憶部２５に記憶されているプログラムとの協働により実行される。
【００６４】
まず、制御部２１は、画像表示装置３の表示部３３にログイン画面を表示させ、ログイン画面から入力された情報に基づいてログイン認証を行う（ステップＳ２１）。
【００６５】
ログインが認証されると、制御部２１は、付帯情報ＤＢ２５２に記憶されている付帯情報に基づいて、読影すべき検査の一覧が表示された検査リスト画面の画面情報を生成して通信部２４により送信し、画像表示装置３の表示部３３に検査リスト画面を表示させる（ステップＳ２２）。
検査リスト画面から読影対象の検査が選択されると、制御部３１は、選択された検査の検査ＩＤを通信部３４によりサーバー装置２に送信する。
【００６６】
通信部２４により画像表示装置３から選択された読影対象の検査の検査ＩＤを受信すると（ステップＳ２３；ＹＥＳ）、制御部２１は、ユーザー情報ＤＢ２５３に記憶されている、ログインユーザーに対応するオーバーレイ情報の優先度設定情報を読み出す（ステップＳ２４）。
【００６７】
次いで、制御部２１は、ステップＳ２４で読み出したオーバーレイ情報の優先度設定情報を参照し、オーバーレイ情報の全項目の情報を表示した場合（全情報表示の場合）の、画像表示領域におけるオーバーレイ領域の重複率を算出し、算出した重複率が所定の閾値Ｔｈ以上であるか所定の閾値Ｔｈ未満であるかを判断する（ステップＳ２５）。
なお、重複率の閾値ｔｈは、例えば２５％であり、より好ましくは２０％である。
【００６８】
ここで、本実施形態において、制御部２１は、図９Ａに示すように、医用画像全体が表示された領域（図９Ａにおいて一点鎖線で囲まれた矩形領域３３１Ａ）を画像表示領域と判断する。また、オーバーレイ情報３３１ｂを囲んだ矩形領域（図９Ａにおいて点線で囲まれた矩形領域３３１Ｂ）をオーバーレイ領域と判断する。オーバーレイ領域は、表示するオーバーレイ情報の項目数が多いほど大きくなる。また、図９Ａに示すように、オーバーレイ領域が複数個所に点在している場合は、それぞれのオーバーレイ領域の合計をオーバーレイ領域と判断する。
例えば、画像表示領域とオーバーレイ領域の重複率は、以下のようにして求めることができる。
重複率＝オーバーレイ領域の画素数（面積）／画像表示領域の画素数（面積）
【００６９】
算出した重複率が所定の閾値Ｔｈ未満であると判断した場合（ステップＳ２５；Ｔｈ未満）、制御部２１は、オーバーレイ情報が全情報表示されたビューアー画面３３１の画面情報を生成して通信部２４により画像表示装置３に送信し、表示部３３にビューアー画面３３１を表示させ（ステップＳ２６）、ステップＳ３２に移行する。
【００７０】
算出した重複率が所定の閾値Ｔｈ以上であると判断した場合（ステップＳ２５；Ｔｈ以上）、制御部２１は、ステップＳ２４で読み出したオーバーレイ情報の優先度設定情報を参照し、オーバーレイ情報として優先度が高い項目（表示優先度が必須及び優先度高の項目）の情報のみを表示した場合（優先情報表示の場合）の、画像表示領域におけるオーバーレイ領域の重複率を算出し、算出した重複率が所定の閾値Ｔｈ１以上であるか所定の閾値Ｔｈ１未満であるかを判断する（ステップＳ２７）。
なお、重複率の閾値ｔｈ１は、例えば２５％であり、より好ましくは２０％である。
【００７１】
算出した重複率が所定の閾値Ｔｈ１未満であると判断した場合（ステップＳ２７；Ｔｈ１未満）、制御部２１は、オーバーレイ情報が優先情報表示されたビューアー画面３３１の画面情報を生成して通信部２４により画像表示装置３に送信して表示部３３にビューアー画面３３１を表示させ（ステップＳ２８）、ステップＳ３２に移行する。
【００７２】
算出した重複率が所定の閾値Ｔｈ１以上であると判断した場合（ステップＳ２７；Ｔｈ１以上）、制御部２１は、ステップＳ２４で読み出したオーバーレイ情報の優先度設定情報を参照し、オーバーレイ情報として必須項目（表示優先度が必須）のみを表示した場合（必須情報表示の場合）の、画像表示領域におけるオーバーレイ領域の重複率を算出し、算出した重複率が所定の閾値Ｔｈ２以上であるか所定の閾値Ｔｈ２未満であるかを判断する（ステップＳ２９）。
なお、重複率の閾値ｔｈ２は、例えば３５％であり、より好ましくは３０％である。
【００７３】
算出した重複率が所定の閾値Ｔｈ２未満であると判断した場合（ステップＳ２９；Ｔｈ２未満）、制御部２１は、オーバーレイ情報が必須情報表示されたビューアー画面３３１の画面情報を生成して通信部２４により画像表示装置３に送信して表示部３３にビューアー画面３３１を表示させ（ステップＳ３０）、ステップＳ３２に移行する。
【００７４】
算出した重複率が所定の閾値Ｔｈ２以上であると判断した場合（ステップＳ２９；Ｔｈ２以上）、制御部２１は、オーバーレイ情報を非表示としたビューアー画面３３１の画面情報を生成して通信部２４により画像表示装置３に送信して表示部３３にビューアー画面３３１を表示させ（ステップＳ３１）、ステップＳ３２に移行する。
【００７５】
ステップＳ３２において、制御部２１は、画像表示領域の変更が指示されたか否かを判断する（ステップＳ３２）。
ここで、ビューアー画面３３１には、グリッドボタン３３１ｄが設けられている。グリッドボタン３３１ｄが押下されると、画像表示領域をビューアー画面３３１上にいくつ表示するか（例えば、１×１、２×２、３×３、・・・）の選択肢が表示される。画像表示領域の数が増えるほど、各画像表示領域のサイズは小さくなる。画像表示領域の数が選択されると、制御部３１は、通信部３４によりサーバー装置２に選択された画像表示領域の数を送信して画像表示領域の変更（画像表示領域の数の変更）を指示する。
【００７６】
画像表示領域の変更が指示されたと判断した場合（ステップＳ３２；ＹＥＳ）、制御部２１は、指示に応じて画像表示領域を変更し（ステップＳ３３）、ステップＳ２５に戻り、変更した画像表示領域に対してステップＳ２５以降の処理を実行する。
画像表示装置３からビューアー画面３３１が閉じられた旨が通知されるまで、制御部２１は、ステップＳ２５〜ステップＳ３３の処理を繰り返し実行する。
【００７７】
ここで、オーバーレイ情報の文字サイズは画像表示領域のサイズに応じて多少変更されるが、画像表示領域と同じだけ拡縮すると、画像表示領域が小さい場合に文字が小さくて見づらくなってしまう。そのため、オーバーレイ情報の文字サイズはある一定のサイズ以上となるように縮小が制限されており、画像表示領域が小さくなるほど、画像表示領域におけるオーバーレイ領域の重複率は大きくなる。
【００７８】
図９Ａは、画像表示領域が１つのビューアー画面３３１の画像表示領域３３１Ａに、オーバーレイ情報の全項目の情報を表示した場合（全情報表示の場合）の、画像表示領域３３１Ａとオーバーレイ領域３３１Ｂとの重複関係を示す図である。画像表示領域が１つの場合、図９Ａに示すように、画像表示領域３３１Ａにおけるオーバーレイ領域３３１Ｂの重複率が低い（閾値Ｔｈ未満）のため、図９Ｂに示すように、オーバーレイ情報３３１ｂとして全項目の情報が表示される。
【００７９】
図１０Ａは、画像表示領域が４つのビューアー画面３３１の画像表示領域３３１Ａに、オーバーレイ情報の全項目の情報を表示した場合（全情報表示の場合）の、画像表示領域３３１Ａとオーバーレイ領域３３１Ｂとの重複関係を示す図である。画像表示領域を４つとした場合、図１０Ａに示すように、画像表示領域３３１Ａにおけるオーバーレイ領域３３１Ｂの重複率が高い（閾値Ｔｈ以上）のため、図１０Ｂに示すように、オーバーレイ情報３３１ｂとして表示する項目が表示優先度の高い情報のみに制限される。
【００８０】
なお、図８に示す表示制御処理Ｂでは、一例として、オーバーレイ情報３３１ｂを表示する場合の（すなわち、オーバーレイ情報３３１ｂの非表示は含まない）、表示するオーバーレイ情報３３１ｂの項目（項目数）を、重複率に応じて３段階に切り替える場合を示しているが、表示するオーバーレイ情報３３１ｂの項目が多段階に切り替えられるのであれば、その段階数は特に限定されない。例えば、制御部２１は、画像表示領域とオーバーレイ情報領域の重複率によって、表示するオーバーレイ情報３３１ｂの項目を全情報表示、必須情報表示の２段階に切り替えることとしてもよい。表示するオーバーレイ情報３３１ｂの項目を何段階に切り替え可能とするかは、ユーザーが設定可能な構成としてもよい。
【００８１】
このように、第２の実施形態では、オーバーレイ情報の各項目に表示優先度を設定しておき、画像表示領域におけるオーバーレイ領域の重複率に応じて、オーバーレイ情報を表示する場合の、表示するオーバーレイ情報の項目数を各項目に設定された表示優先度に基づき多段階に切り替える。したがって、全オーバーレイ情報を表示すると画像表示領域に対するオーバーレイ情報の重なりが大きくなる場合は、オーバーレイ情報の表示する項目数を表示優先度に従って自動的に減らすので、オーバーレイ情報が読影の妨げになることを防止することが可能となり、かつ読影の妨げにならない範囲で必要最低限のオーバーレイ情報については確認することが可能となり、読影効率を向上させることができる。
【００８２】
なお、複数の画像表示領域をビューアー画面３３１に表示する場合は、画像表示領域ごとにオーバーレイ領域の重複率を算出して、画像表示領域ごとにオーバーレイ情報の表示する項目数を切り替えることとしてもよいし、代表とする画像表示領域（例えば、左上の画像表示領域）において重複率を算出し、その算出結果に基づいて、全画像表示領域のオーバーレイ情報の表示する項目数を切り替える（一律に切り替える）こととしてもよい。
【００８３】
＜第３の実施形態＞
以下、本発明の第３の実施形態について説明する。
第２の実施形態では、画像表示領域を医用画像全体の表示領域として、画像表示領域におけるオーバーレイ領域の重複率に応じて自動的にオーバーレイ情報の表示量（表示する項目数）を切り替える例について説明したが、第３の実施形態では、画像表示領域を医用画像の被写体領域の表示領域として、画像表示領域におけるオーバーレイ領域の重複率に応じて自動的にオーバーレイ情報の表示量を切り替える例について説明する。
【００８４】
第３の実施形態の構成は、第２の実施形態と同様であるので説明を援用する。また、第３の実施形態における医用画像表示システム１００の動作は、設定モードについては第１の実施形態と同様であるため、説明を援用する。読影モードにおいて実行される処理の流れについては、図８に示す表示制御処理Ｂと同様であるが、ステップＳ２５、Ｓ２７、Ｓ２９における画像表示領域の算出及びステップＳ３２における画像表示領域の変更の判断が異なるので、異なる点について説明する。
【００８５】
ステップＳ２５、Ｓ２７、Ｓ２９において、制御部２１は、医用画像における被写体領域を認識し、被写体領域の表示領域（図１１Ａ〜図１１Ｃにおいてハッチングで示す領域３３１Ａ´）を画像表示領域として認識する。そして、認識した画像表示領域（３３１Ａ´）におけるオーバーレイ領域（３３１Ｂ）の重複率を算出し、算出した重複率が所定の閾値Ｔｈ（Ｔｈ１、Ｔｈ２）以上であるか所定の閾値Ｔｈ（Ｔｈ１、Ｔｈ２）未満であるかを判断する。
【００８６】
ここで、画像表示領域を被写体領域とした場合、画像表示領域の数の変更だけでなく、医用画像の拡大縮小等の処理によっても画像表示領域の大きさが変化する。
そこで、ステップＳ３２において、制御部２１は、画像表示領域の数の変更の指示だけでなく、画像の拡大縮小処理の指示が画像表示装置３から受信された場合についても、画像表示領域の大きさの変更が生じたと判断し、大きさ変更後の画像表示領域と段階ごとのオーバーレイ領域の重複率に基づいて、オーバーレイ情報の表示量を自動的に変更する。
【００８７】
例えば、図１１Ａに示すように、オーバーレイ情報の表示する項目数が制限されていた場合において、図１１Ｂに示すように医用画像を縮小処理し、オーバーレイ情報として表示する項目を増やしても画像表示領域３３１Ａ´におけるオーバーレイ領域３３１Ｂの重複率が閾値Ｔｈより低くなるようにすると、図１１Ｃに示すように、縮小前には表示されていなかった項目についても表示することができる。
【００８８】
このように、第３の実施形態においては、画像表示領域を被写体領域の表示部分としてオーバーレイ領域との重複率を判断するので、医用画像の拡大縮小処理等により画像表示領域とオーバーレイ領域との重なりに変化が出た場合に、その重なりの変化に対応してオーバーレイ情報の表示する項目を変化させることができる。
【００８９】
＜第４の実施形態＞
以下、本発明の第４の実施形態について説明する。
第４の実施形態では、オーバーレイ情報を表示する際、項目の表示優先度や表示している段階に応じて項目ごとに色を付けて表示する例について説明する。
【００９０】
制御部２１は、第１の実施形態で説明した表示制御処理ＡのステップＳ５、Ｓ７、Ｓ９でオーバーレイ情報を表示したビューアー画面３３１の画面情報を生成する際、または、第２〜第３の実施形態で説明した表示制御処理ＢのステップＳ２６、Ｓ２８、Ｓ３０でオーバーレイ情報を表示したビューアー画面３３１の画面情報を生成する際、表示するオーバーレイ情報の項目に、表示優先度に応じた色を付加する。これにより、ユーザーは、表示されているオーバーレイ情報の各項目の表示優先度を容易に認識することが可能となる。または、優先度が基準より高い（例えば、必須）の項目のみに色を付加して目立たせることとしてもよい。これにより、表示優先度の高い項目の情報を見やすく表示することができる。
【００９１】
また、制御部２１は、第１の実施形態で説明した表示制御処理ＡのステップＳ５、Ｓ７、Ｓ９でオーバーレイ情報を表示したビューアー画面３３１の画面情報を生成する際、または、第２〜第３の実施形態で説明した表示制御処理ＢのステップＳ２６、Ｓ２８、Ｓ３０でオーバーレイ情報を表示したビューアー画面３３１の画面情報を生成する際、表示するオーバーレイ情報に、オーバーレイ情報の表示段階（例えば、全情報表示、優先情報表示、必須情報表示）に応じた色を付加することとしてもよい。これにより、ユーザーは、現在どの段階のオーバーレイ情報の表示が行われているのかを直感的に認識することが可能となる。
【００９２】
以上説明したように、医用画像表示システム１００のサーバー装置２によれば、制御部２１は、オーバーレイ情報を医用画像に重ねて表示する場合の、表示するオーバーレイ情報の項目を、オーバーレイ情報の各項目に予め設定された表示優先度に基づいて多段階に切り替える。
したがって、医用画像の表示領域が小さく全オーバーレイ情報を表示するのに十分な領域が確保できない場合は、オーバーレイ情報の表示項目を必要最低限に切り替えることが可能となるので、オーバーレイ情報が読影の妨げになることを防止することができ、かつユーザーは必要最低限のオーバーレイ情報については確認することができ、読影効率を向上させることができる。
【００９３】
例えば、制御部２１は、ユーザー操作に応じて、医用画像に重ねて表示するオーバーレイ情報の項目の切り替えを行うことで、ユーザーが切り替えたいタイミングでオーバーレイ情報の項目の切り替えを行うことが可能となる。
【００９４】
また、例えば、制御部２１は、医用画像の画像表示領域とオーバーレイ情報の表示領域の重複率を算出し、算出した重複率に応じて、医用画像に重ねて表示するオーバーレイ情報の項目の切り替えを行うことで、医用画像の画像表示領域とオーバーレイ情報の表示領域の重なりに応じて自動的にオーバーレイ情報の項目の切り替えを行うことが可能となる。
また、例えば、制御部２１は、医用画像の画像表示領域の大きさに変更があった場合に、重複率の算出を行い、算出した重複率に応じて、医用画像に重ねて表示するオーバーレイ情報の項目の切り替えを行うことで、医用画像の画像表示領域の大きさに変更があった場合に、ただちに、医用画像の画像表示領域とオーバーレイ情報の表示領域の重なりに応じて自動的にオーバーレイ情報の項目の切り替えを行うことが可能となる。
【００９５】
また、例えば、制御部２１は、医用画像全体の表示領域を画像表示領域と判断して重複率を算出することで、例えば、表示する医用画像の数を変更する等によりそれぞれの医用画像全体の表示領域の大きさが変わった場合に、自動的にオーバーレイ情報の表示項目の切り替えを行うことが可能となる。
【００９６】
また、例えば、制御部２１は、医用画像の被写体領域の表示領域を画像表示領域と判断して重複率を算出することで、例えば、表示する医用画像を拡大／縮小処理する等により被写体領域の表示領域の大きさが変わった場合に、自動的にオーバーレイ情報の表示項目の切り替えを行うことが可能となる。
【００９７】
また、例えば、オーバーレイ情報の各項目に対する表示優先度は、ユーザーごとに予め設定されており、制御部２１は、医用画像に重ねて表示するオーバーレイ情報の項目を、ログインしたユーザーに対応する各項目の表示優先度に基づいて切り替える。したがって、ユーザーが設定した表示優先度に基づいて医用画像に重ねて表示するオーバーレイ情報の項目を切り替えることができる。
【００９８】
また、制御部２１は、医用画像に重ねて表示するオーバーレイ情報の項目の色を、表示優先度に応じた色で表示することで、ユーザーは、表示されているオーバーレイ情報の各項目の表示優先度を容易に認識することが可能となる。
【００９９】
また、制御部２１は、医用画像に重ねて表示するオーバーレイ情報の色を、前記多段階のうちの表示されている段階に応じた色で表示することで、ユーザーは、どの段階のオーバーレイ情報の表示が行われているのかを直感的に認識することが可能となる。
【０１００】
なお、上記実施形態における記述内容は、本発明の好適な一例であり、これに限定されるものではない。
【０１０１】
例えば、上記実施形態においては、ユーザーごとにオーバーレイ情報の各項目に表示優先度を設定する構成としたが、これに限定されない。例えば、グループ（例えば、診療科、診療科内のグループ、又は施設等）単位でオーバーレイ情報の各項目に表示優先度を設定して記憶部２５にグループごとのオーバーレイ情報の優先度設定情報を記憶しておき、オーバーレイ情報として表示する項目を、ログインユーザーの属するグループに対応する表示優先度に基づいて切り替えてもよい。また、表示優先度は、プリセットされたものであってもよい。
【０１０２】
また、上記第１の実施形態においては、ユーザーがオーバーレイ表示量変更アイコン３３１ｃを押下するごとに、オーバーレイ情報の表示項目を切り替えることとしたが、オーバーレイ情報として表示する項目を切り替えるためのユーザーインターフェースとしては、これに限らず、例えば、スライドバー等としてもよい。
【０１０３】
また、第２及び第３の実施形態においては、医用画像の画像表示領域とオーバーレイ情報の表示領域の重複率に基づいて自動的にオーバーレイ情報の表示項目を切り替えたが、自動的にオーバーレイ情報の項目の切り替えを行ったとしても、ユーザーの知りたい情報が表示されていない場合もある。そこで、さらに情報を知るために、自動的に表示された項目をさらにユーザーによるオーバーレイ表示量変更アイコン３３１ｃの操作等により切り替えられることとしてもよい。また、医用画像の画像表示領域とオーバーレイ情報の表示領域の重複率に基づいて自動的にオーバーレイ情報の表示項目の切り替えを行うか否かをユーザーが設定できるようにしてもよい。
【０１０４】
また、制御部２１は、医用画像の画像表示領域とオーバーレイ情報の表示領域の重なりに応じて自動的にオーバーレイ情報の項目の切り替えを行う際に、医用画像を表示する画像表示装置３における機器情報、例えば、画面サイズ、解像度、ディスプレイの台数等を取得し、取得した機器情報を加味して、医用画像に重ねて表示するオーバーレイ情報の項目の切り替えを行うこととしてもよい。これにより単に重複領域の比率だけでなく、実際に文字の大きさと解像度の比較、ディプレイの台数や表示の大きさなどを鑑みて、実際にユーザーが各項目を読み取り可能な情報量となっているかを推測して表示することが可能となる。
【０１０５】
また、第２及び第３の実施形態においては、医用画像の画像表示領域とオーバーレイ情報の表示領域の重複率に基づいて自動的にオーバーレイ情報の表示項目を切り替えたが、医用画像の被写体領域が表示されている被写体表示領域又は医用画像の被写体外領域が表示されている被写体外表示領域のいずれかに基づいて、医用画像に重ねて表示するオーバーレイ情報の項目の自動切り替えを行っても良い。これは、例えばオーバーレイ情報を表示する際に、視認性が良い領域としては医用画像の被写体外表示領域があげられ、この被写体外表示領域に十分な情報量を設定することにより表示量を最大化することができる。つまり、被写体外表示領域の面積（例えばピクセルサイズ）と、一般的に文字が視認できるフォントの大きさを勘案して、最大の表示量になるようにオーバーレイ情報の項目を調節してもよい。このとき、更にディスプレイのサイズとの比較で決定してもよい。この場合においても、自動的に表示された項目をさらにユーザーによるオーバーレイ表示量変更アイコン３３１ｃの操作等により切り替えられることとしてもよい。また、医用画像を表示する画像表示装置３における機器情報、例えば、画面サイズ、解像度、ディスプレイの台数等を取得し、取得した機器情報を加味して、医用画像に重ねて表示するオーバーレイ情報の項目の切り替えを行うこととしてもよい。
【０１０６】
また、上記実施形態においては、サーバー装置２の制御部２１とプログラムとの協働により表示制御処理Ａや表示制御処理Ｂを実行し、医用画像に表示するオーバーレイ情報の切り替え制御を行うこととして説明したが、画像表示装置３の制御部３１とプログラムとの協働により表示制御処理Ａや表示制御処理Ｂを実行する構成としてもよい。この場合、処理に必要なデータ（例えば、画像ＤＢ２５１、付帯情報ＤＢ２５２、ユーザー情報ＤＢ２５３）は画像表示装置３に備えられていることとしてもよいし、一部又は全部のＤＢをサーバー装置２に備える構成とし、処理に必要なデータの検索をサーバー装置２に要求して取得することとしてもよい。
【０１０７】
また、上記の説明では、本発明に係るプログラムのコンピュータ読み取り可能な媒体としてハードディスクや半導体の不揮発性メモリ等を使用した例を開示したが、この例に限定されない。その他のコンピュータ読み取り可能な媒体として、ＣＤ−ＲＯＭ等の可搬型記録媒体を適用することが可能である。また、本発明に係るプログラムのデータを通信回線を介して提供する媒体として、キャリアウエーブ（搬送波）も適用される。
【０１０８】
その他、医用画像表示システムを構成する各装置の細部構成及び細部動作に関しても、本発明の趣旨を逸脱することのない範囲で適宜変更可能である。
【符号の説明】
【０１０９】
１００  医用画像表示システム
１  画像生成装置
２  サーバー装置
２１  制御部
２２  操作部
２３  表示部
２４  通信部
２５  記憶部
２５１  画像ＤＢ
２５２  付帯情報ＤＢ
２５３  ユーザー情報ＤＢ
２６  バス
３  画像表示装置
３１  制御部
３２  操作部
３３  表示部
３４  通信部
３５  記憶部
３６  バス
【図１】
2019213747.tif 000003
【図２】
2019213747.tif 000004
【図３】
2019213747.tif 000005
【図４】
2019213747.tif 000006
【図５】
2019213747.tif 000007
【図６】
2019213747.tif 000008
【図７】
2019213747.tif 000009
【図８】
2019213747.tif 000010
【図９Ａ】
2019213747.tif 000011
【図９Ｂ】
2019213747.tif 000012
【図１０Ａ】
2019213747.tif 000013
【図１０Ｂ】
2019213747.tif 000014
【図１１Ａ】
2019213747.tif 000015
【図１１Ｂ】
2019213747.tif 000016
【図１１Ｃ】
2019213747.tif 000017
【図１２】
2019213747.tif 000018